【手続補正書】
【提出日】平成28年5月10日(2016.5.10)
【手続補正１】
【補正対象書類名】特許請求の範囲
【補正対象項目名】全文
【補正方法】変更
【補正の内容】
【特許請求の範囲】
【請求項１】
一方側壁部と前記一方側壁部と向かい合う他方側壁部を備える内部空間と、前記内部空間内に形成され、前記２つの壁部間に位置しかつ前記壁部と同方向に延びる縦方向領域と、前記縦方向領域より前記他方側壁部方向に延びる複数の他方壁部側横方向領域とを有する作業施設用空調システムであって、
前記空調システムは、前記縦方向領域の一方の側部側に設けられた送風ダクトと、前記送風ダクトに冷気を供給する冷風発生機と、前記送風ダクトに設けられた複数の冷風吐出部と、各冷風吐出部の冷風吐出口付近に吸引口が位置するように配置され、前記冷風吐出口より吐出する冷風を吸引し、前記縦方向領域の前記一方の側部側から向かい合う他方の側部を通過し、前記他方壁部側横方向領域を流れる気流を形成する複数の誘引気流発生機とを備える他方側壁部方向冷風送気部を備え、
さらに、前記冷風送気部は、前記誘引気流発生機の誘引気流吐出口を上下方向および横方向に調整可能に保持する誘引気流発生機保持部を備え、前記送風ダクトの前記冷風吐出部は、前記冷風吐出口の前記誘引気流発生機の吸引口への近接および両者が向かい合うように調整可能な吐出口位置調整機能を備えていることを特徴とする作業施設用空調システム。
【請求項２】
一方側壁部と前記一方側壁部と向かい合う他方側壁部を備える内部空間と、前記内部空間内に形成され、前記２つの壁部間に位置しかつ前記壁部と同方向に延びる縦方向領域と、前記縦方向領域より前記一方側壁部方向に延びる複数の一方壁部側横方向領域と、前記縦方向領域より前記他方側壁部方向に延びる複数の他方壁部側横方向領域とを有する作業施設用空調システムであって、
前記空調システムは、前記縦方向領域の一方の側部側に設けられた第１の送風ダクトと、前記第１の送風ダクトに冷気を供給する冷風発生機と、前記第１の送風ダクトに設けられた複数の冷風吐出部と、前記冷風吐出部の冷風吐出口付近に吸引口が位置するように配置され、前記冷風吐出口より吐出する冷風を吸引し、前記縦方向領域の前記一方の側部側から向かい合う他方の側部を通過し、前記他方壁部側横方向領域を流れる気流を形成する複数の誘引気流発生機とにより構成される他方側壁部方向冷風送気部と、
前記縦方向領域の他方の側部側に設けられ、前記第１の送風ダクトと所定距離離間する第２の送風ダクトと、前記第２の送風ダクトに冷気を供給する冷風発生機と、前記第２の送風ダクトに設けられた複数の冷風吐出口と、前記冷風吐出口付近に吸引口が位置するように配置され、前記冷風吐出口より吐出する冷風を吸引し、前記縦方向領域の前記他方の側部側から向かい合う一方の側部を通過し、前記一方壁部側横方向領域を流れる気流を形成する複数の誘引気流発生機とにより構成される一方側壁部方向冷風送気部とを備え、
さらに、前記冷風送気部は、前記誘引気流発生機の誘引気流吐出口を上下方向および横方向に調整可能に保持する誘引気流発生機保持部を備え、前記送風ダクトの前記冷風吐出部は、前記冷風吐出口の前記誘引気流発生機の吸引口への近接および両者が向かい合うように調整可能な吐出口位置調整機能を備え、
そして、前記空調システムは、前記一方側壁部方向冷風送気部の前記誘引気流発生機の気流吐出口より吐出され、前記横方向領域を流れる一方側壁部方向気流と、前記他方側壁部方向冷風送気部の前記誘引気流発生機の気流吐出口より吐出され、前記横方向領域を流れる他方側壁部方向気流とが、実質的に当接しないように各前記誘引気流発生機の気流吐出口の向きが調整されていることを特徴とする作業施設用空調システム。
【請求項３】
前記一方側壁部方向冷風送気部の前記誘引気流発生機の気流吐出口と前記他方側壁部方向冷風送気部の前記誘引気流発生機の気流吐出口とが向かい合わないように、各前記誘引気流発生機の気流吐出口の向きが調整されている請求項２に記載の作業施設用空調システム。
【請求項４】
前記一方側壁部方向冷風送気部の前記誘引気流発生機の気流吐出口と前記他方側壁部方向冷風送気部の前記誘引気流発生機の気流吐出口は、前記縦方向領域の一端側から他端側に向かって、交互となるように配置されている請求項２または３に記載の作業施設用空調システム。
【請求項５】
前記空調システムは、前記第１の送風ダクトの末梢部と前記第２の送風ダクトの末梢部とを接続する接続ダクトを備えている請求項２ないし４のいずれかに記載の作業施設用空調システム。
【請求項６】
前記接続ダクトには、圧力調整部が設けられている請求項５に記載の作業施設用空調システム。
【請求項７】
前記誘引気流発生機は、前記冷風吐出口より吐出する冷風の９０％を越える冷風を吸引するとともに、さらに外気を吸引するものである請求項１ないし６のいずれかに記載の作業施設用空調システム。
【請求項８】
前記空調システムは、前記誘引気流発生機が、前記冷風吐出口より吐出する冷風の一部を吸引し、誘引気流を発生し、かつ、前記誘引気流発生機により吸引されない残部の冷気が、前記冷風吐出口より付近に拡散するものとし、前記誘引気流発生機は、前記冷風吐出口より吐出する冷風の５０％以上かつ９０％以下の冷風を吸引するものである請求項１ないし６のいずれかに記載の作業施設用空調システム。
【請求項９】
前記冷風吐出部の前記吐出口位置調整機能は、蛇腹状の変形可能部により構成されており、前記変形可能部は、前記冷風吐出口までの長さおよび高さを調整可能であり、かつ、前記冷風吐出口の上下方向および左右方向の向きを調整可能である請求項１ないし８のいずれかに記載の作業施設用空調システム。
【請求項１０】
前記空調システムは、前記送風ダクトとほぼ平行かつ前記冷風吐出口側に設けられたフレームを備え、前記誘引気流発生機は、前記誘引気流発生機保持部により前記フレームに取り付けられており、かつ、前記誘引気流発生機保持部は、前記フレームに水平方向に回動可能に取り付けられており、さらに、前記誘引気流発生機保持部は、前記誘引気流発生機を上下方向に回動可能に保持する回動可能保持部を備えている請求項１ないし９のいずれかに記載の作業施設用空調システム。
【請求項１１】
前記空調システムは、前記縦方向領域に誘引気流を送風する縦方向領域誘引気流形成部を備えており、前記縦方向領域誘引気流形成部は、前記送風ダクトに設けられた冷風吐出部と、前記冷風吐出部の冷風吐出口付近に吸引口が位置するように配置され、前記冷風吐出口より吐出する冷風を吸引し、前記縦方向領域を流れる縦方向領域方向誘引気流を形成させる誘引気流発生機とにより構成されている請求項１ないし１０のいずれかに記載の作業施設用空調システム。
【請求項１２】
前記作業施設は、天井に設けられた少なくとも１つの排気装置を備え、前記作業施設用空調システムは、前記排気装置に向かって流れる誘引気流発生機を備えている請求項１ないし１１のいずれかに記載の作業施設用空調システム。
【請求項１３】
前記冷風発生機は、水を用いた気化放熱式冷風発生機である請求項１ないし１２のいずれかに記載の作業施設用空調システム。
【請求項１４】
前記冷風発生機は、正面または上面に設けられた送風口と、向かい合う側面に設けられた２つの吸気口とを有するハウジングと、前記一方の吸気口の内側に配設され、下部に水を貯留するための貯留部を有する通気性収納部と、前記通気性収納部内に収納され、前記貯留部の水を散水パイプに供給するための循環ポンプと、前記散水パイプによって散水された水の膜を形成する冷却エレメントとを備える第１の冷却ユニットと、前記他方の吸気口の内側に配設され、下部に水を貯留するための貯留部を有する通気性収納部と、前記通気性収納部内に収納され、前記貯留部の水を散水パイプに供給するための循環ポンプと、前記散水パイプによって散水された水の膜を形成する冷却エレメントとを備える第２の冷却ユニットと、前記第１の冷却ユニットと前記第２の冷却ユニット間かつ前記送風口の下方に設けられ、前記第１および第２の冷却ユニットにより冷却された冷気を合わせて前記送風口に送る送風機とを備えている請求項１ないし１３のいずれかに記載の作業施設用空調システム。
【請求項１５】
前記誘引気流発生機は、吹出口風量の数倍以上の周辺空気を誘引することにより誘引気流を形成するものである請求項１ないし１４のいずれかに記載の作業施設用空調システム。
【手続補正２】
【補正対象書類名】明細書
【補正対象項目名】０００８
【補正方法】変更
【補正の内容】
【０００８】
また、上記目的を達成するものは、以下のものである。
（２）  一方側壁部と前記一方側壁部と向かい合う他方側壁部を備える内部空間と、前記内部空間内に形成され、前記２つの壁部間に位置しかつ前記壁部と同方向に延びる縦方向領域と、前記縦方向領域より前記一方側壁部方向に延びる複数の一方壁部側横方向領域と、前記縦方向領域より前記他方側壁部方向に延びる複数の他方壁部側横方向領域とを有する作業施設用空調システムであって、
前記空調システムは、前記縦方向領域の一方の側部側に設けられた第１の送風ダクトと、前記第１の送風ダクトに冷気を供給する冷風発生機と、前記第１の送風ダクトに設けられた複数の冷風吐出部と、前記冷風吐出部の冷風吐出口付近に吸引口が位置するように配置され、前記冷風吐出口より吐出する冷風を吸引し、前記縦方向領域の前記一方の側部側から向かい合う他方の側部を通過し、前記他方壁部側横方向領域を流れる気流を形成する複数の誘引気流発生機とにより構成される他方側壁部方向冷風送気部と、
前記縦方向領域の他方の側部側に設けられ、前記第１の送風ダクトと所定距離離間する第２の送風ダクトと、前記第２の送風ダクトに冷気を供給する冷風発生機と、前記第２の送風ダクトに設けられた複数の冷風吐出口と、前記冷風吐出口付近に吸引口が位置するように配置され、前記冷風吐出口より吐出する冷風を吸引し、前記縦方向領域の前記他方の側部側から向かい合う一方の側部を通過し、前記一方壁部側横方向領域を流れる気流を形成する複数の誘引気流発生機とにより構成される一方側壁部方向冷風送気部とを備え、
さらに、前記冷風送気部は、前記誘引気流発生機の誘引気流吐出口を上下方向および横方向に調整可能に保持する誘引気流発生機保持部を備え、前記送風ダクトの前記冷風吐出部は、前記冷風吐出口の前記誘引気流発生機の吸引口への近接および両者が向かい合うように調整可能な吐出口位置調整機能を備え、
そして、前記空調システムは、前記一方側壁部方向冷風送気部の前記誘引気流発生機の気流吐出口より吐出され、前記横方向領域を流れる一方側壁部方向気流と、前記他方側壁部方向冷風送気部の前記誘引気流発生機の気流吐出口より吐出され、前記横方向領域を流れる他方側壁部方向気流とが、実質的に当接しないように各前記誘引気流発生機の気流吐出口の向きが調整されている作業施設用空調システム。
【手続補正３】
【補正対象書類名】明細書
【補正対象項目名】０００９
【補正方法】変更
【補正の内容】
【０００９】
（３）  前記一方側壁部方向冷風送気部の前記誘引気流発生機の気流吐出口と前記他方側壁部方向冷風送気部の前記誘引気流発生機の気流吐出口とが向かい合わないように、各前記誘引気流発生機の気流吐出口の向きが調整されている上記（２）に記載の作業施設用空調システム。
（４）  前記一方側壁部方向冷風送気部の前記誘引気流発生機の気流吐出口と前記他方側壁部方向冷風送気部の前記誘引気流発生機の気流吐出口は、前記縦方向領域の一端側から他端側に向かって、交互となるように配置されている上記（２）または（３）に記載の作業施設用空調システム。
（５）  前記空調システムは、前記第１の送風ダクトの末梢部と前記第２の送風ダクトの末梢部とを接続する接続ダクトを備えている上記（２）ないし（４）のいずれかに記載の作業施設用空調システム。
（６）  前記接続ダクトには、圧力調整部が設けられている上記（５）に記載の作業施設用空調システム。
（７）  前記誘引気流発生機は、前記冷風吐出口より吐出する冷風の９０％を越える冷風を吸引するとともに、さらに外気を吸引するものである上記（１）ないし（６）のいずれかに記載の作業施設用空調システム。
（８）  前記空調システムは、前記誘引気流発生機が、前記冷風吐出口より吐出する冷風の一部を吸引し、誘引気流を発生し、かつ、前記誘引気流発生機により吸引されない残部の冷気が、前記冷風吐出口より付近に拡散するものとし、前記誘引気流発生機は、前記冷風吐出口より吐出する冷風の５０％以上かつ９０％以下の冷風を吸引するものである上記（１）ないし（６）のいずれかに記載の作業施設用空調システム。
（９）  前記冷風吐出部の前記吐出口位置調整機能は、蛇腹状の変形可能部により構成されており、前記変形可能部は、前記冷風吐出口までの長さおよび高さを調整可能であり、かつ、前記冷風吐出口の上下方向および左右方向の向きを調整可能である上記（１）ないし（８）のいずれかに記載の作業施設用空調システム。
【手続補正４】
【補正対象書類名】明細書
【補正対象項目名】００１２
【補正方法】変更
【補正の内容】
【００１２】
また、本発明の作業施設用空調システムは、一方側壁部と一方側壁部と向かい合う他方側壁部を備える内部空間と、内部空間内に形成され、２つの壁部間に位置しかつ壁部と同方向に延びる縦方向領域と、縦方向領域より一方側壁部方向に延びる複数の一方壁部側横方向領域と、縦方向領域より他方側壁部方向に延びる複数の他方壁部側横方向領域とを有する作業施設用空調システムである。そして、本発明の空調システムは、縦方向領域の一方の側部側に設けられた第１の送風ダクトと、第１の送風ダクトに冷気を供給する冷風発生機と、第１の送風ダクトに設けられた複数の冷風吐出部と、冷風吐出部の冷風吐出口付近に吸引口が位置するように配置され、冷風吐出口より吐出する冷風を吸引し、縦方向領域の一方の側部側から向かい合う他方の側部を通過し、他方壁部側横方向領域を流れる気流を形成する複数の誘引気流発生機とにより構成される他方側壁部方向冷風送気部と、縦方向領域の他方の側部側に設けられ、第１の送風ダクトと所定距離離間する第２の送風ダクトと、第２の送風ダクトに冷気を供給する冷風発生機と、第２の送風ダクトに設けられた複数の冷風吐出口と、冷風吐出口付近に吸引口が位置するように配置され、冷風吐出口より吐出する冷風を吸引し、縦方向領域の他方の側部側から向かい合う一方の側部を通過し、一方壁部側横方向領域を流れる気流を形成する複数の誘引気流発生機とにより構成される一方側壁部方向冷風送気部とを備え、さらに、冷風送気部は、誘引気流発生機の誘引気流吐出口を上下方向および横方向に調整可能に保持する誘引気流発生機保持部を備え、送風ダクトの冷風吐出部は、冷風吐出口の誘引気流発生機の吸引口への近接および両者が向かい合うように調整可能な吐出口位置調整機能を備え、そして、空調システムは、一方側壁部方向冷風送気部の誘引気流発生機の気流吐出口より吐出され、横方向領域を流れる一方側壁部方向気流と、他方側壁部方向冷風送気部の誘引気流発生機の気流吐出口より吐出され、横方向領域を流れる他方側壁部方向気流とが、実質的に当接しないように各誘引気流発生機の気流吐出口の向きが調整されている。
一方側壁部方向冷風送気部の誘引気流発生機により生成される誘引気流と、他方側壁部方向冷風送気部の誘引気流発生機により生成される誘引気流は、互いに当接することなく、それぞれの横方向領域を流通するため、作業施設内の一方壁部側に延びる横方向領域および他方壁部側に延びる横方向領域を確実に冷却することができる。さらに、誘引気流発生機により生成される誘引気流は、縦方向領域を横切るため、縦方向領域もある程度冷却される。そして、この空調システムによれば、縦方向領域から両側壁に向かい、かつ側壁に向かうに従って暖気を徐々に含んでいく気流が形成されるため、良好に作業領域を冷却することができる。
【手続補正５】
【補正対象書類名】明細書
【補正対象項目名】００１６
【補正方法】変更
【補正の内容】
【００１６】
そして、第１および第２の冷風送気部は、誘引気流発生機４の誘引気流吐出口４１を上下方向および横方向に調整可能に保持する誘引気流発生機保持部６を備え、第１および第２の送風ダクト２１，２２の冷風吐出部３は、冷風吐出口３１の誘引気流発生機４の吸引口４２への近接および両者が向かい合うように調整可能な吐出口位置調整機能３３を備える。さらに、空調システム１は、一方側壁部方向冷風送気部の誘引気流発生機４の気流吐出口４１より吐出され、横方向領域を流れる一方側壁部方向気流７２と、他方側壁部方向冷風送気部の誘引気流発生機４の気流吐出口４１より吐出され、横方向領域を流れる他方側壁部方向気流７１とが、実質的に当接しないように各誘引気流発生機の気流吐出口の向きが調整されている。
【手続補正６】
【補正対象書類名】明細書
【補正対象項目名】００１８
【補正方法】変更
【補正の内容】
【００１８】
そして、この実施例の作業施設用空調システム１は、図１ないし図２に示すように、他方側壁部方向冷風送気部（言い換えれば、第１の冷風送気部）と、一方側壁部方向冷風送気部（言い換えれば、第２の冷風送気部）を備える。
他方側壁部方向冷風送気部（言い換えれば、第１の冷風送気部）は、縦方向領域５３の一方の側部側に設けられた第１の送風ダクト２１と、第１の送風ダクト２１に冷気を供給する第１の冷風発生機１１と、第１の送風ダクト２１に設けられた複数の冷風吐出部３と、冷風吐出部３の冷風吐出口３１付近に吸引口４２が位置するように配置され、冷風吐出口３１より吐出する冷風を吸引し、縦方向領域５３の一方側から、向かい合う他方側を通過し、横方向領域５５を他方側壁部５２方向にかつ斜め下方に向かって流れる他方側壁部方向気流（横方向領域流通他方側壁部方向気流）７１を形成させる複数の誘引気流発生機４とを備える。
同様に、一方側壁部方向冷風送気部は、縦方向領域５３の他方の側部側に設けられ、第１の送風ダクト２１と所定距離離間する第２の送風ダクト２２と、第２の送風ダクト２２に冷気を供給する第２の冷風発生機１２と、第２の送風ダクト２２に設けられた複数の冷風吐出口３１と、冷風吐出口３１付近に吸引口４２が位置するように配置され、冷風吐出口３１より吐出する冷風を吸引し、縦方向領域５３の他方側から、縦方向領域５３の一方側を通過し、横方向領域５４を一方側壁部５１方向にかつ斜め下方に向かって流れる一方側壁部方向気流（横方向領域一方側壁部方向気流）７２を形成させる複数の誘引気流発生機４とを備えている。
この実施例の空調システム１では、他方側壁部方向冷風送気部と一方側壁部方向冷風送気部は、個々に冷風発生機を備えている。このようなものが好ましいが、第１の送風ダクト２１と第２の送風ダクト２２を連結し、１つのみの冷風発生機を備えるものとしてもよい。
【手続補正７】
【補正対象書類名】明細書
【補正対象項目名】００２７
【補正方法】変更
【補正の内容】
【００２７】
そして、図２に示すように、この実施例の空調システム１では、他方側壁部方向冷風送気部および一方側壁部方向冷風送気部において、誘引気流発生機４は、同じものを用いている。しかし、このようなものに限定されるものではなく、対象となる作業施設に応じて、例えば、図７に示す空調システム１ｂのように、他方側壁部方向冷風送気部に用いる誘引気流発生機４と、一方側壁部方向冷風送気部において用いる誘引気流発生機４ａは、パワーが異なるものであってもよい。図７に示すものでは、他方側壁部方向冷風送気部において用いる誘引気流発生機４に比べ、一方側壁部方向冷風送気部に用いる誘引気流発生機４ａは、パワーが大きいものとなっている。そして、これに対応して、第２の送風ダクト２２を流通する冷気量も、第１の送風ダクト２１を流れるものより、多いものとなっている。このため、第２の送風ダクト２２の冷気吐出口３１から吐出される冷気量は、第１の送風ダクト２１の冷気吐出口３１から吐出される冷気量より多いものとなる。つまり、この実施例の空調システム１ｂでは、横方向領域５５を他方側壁部５２方向にかつ斜め下方に向かって流れる横方向領域流通他方側壁部方向気流７１より、横方向領域５４を一方側壁部５１方向にかつ斜め下方に向かって流れる横方向領域一方側壁部方向気流７２ａの方が、強い（流量が多い）気流となっている。
【手続補正８】
【補正対象書類名】明細書
【補正対象項目名】００２９
【補正方法】変更
【補正の内容】
【００２９】
そして、各冷風送気部は、誘引気流発生機４の誘引気流吐出口４１を上下方向および横方向に調整可能に保持する誘引気流発生機保持部６を備えている。具体的には、図１ないし図４に示すように、各冷風送気部は、誘引気流発生機設置用フレーム４４と、このフレーム４４を保持する脚部４８を備えている。そして、誘引気流発生機４は、保持部６により、フレーム４４に横方向（水平方向）に調整可能（回動可能）に取り付けられている。なお、フレーム４４内には、誘引気流発生機４に接続された電気ケーブル（図示せず）が収納されている。保持部６は、誘引気流発生機４を上下方向に調整可能（回動可能）に保持するコの字型の保持部材４３と締結部材４７を備えている。そして、保持部材４３の上部が、ボルト４５とナット４６によりフレーム４４に、横方向（言い換えれば、水平方向）に回動可能に保持されている。なお、ボルト４５の雄ねじを有するシャフト４５ａは、保持部材４３の内部において、ナット４６の雌ねじと螺合している。
【手続補正９】
【補正対象書類名】明細書
【補正対象項目名】００３３
【補正方法】変更
【補正の内容】
【００３３】
また、本発明の作業施設用空調システムは、図５および図６に示すような空調システム１ａであってもよい。この実施例の空調システム１ａと上述した空調システム１との相違は、このシステム１ａでは、第１の送風ダクト２１の末梢部と第２の送風ダクト２２の末梢部とを接続する接続ダクト２３を備える点のみである。このような接続ダクトを設けることにより、気化放熱式冷風発生機１１，１２より送気される冷気を、第１の送風ダクト２１と第２の送風ダクト２２に良好に分配できる。さらに接続ダクト２３は、第１の送風ダクト２１と第２の送風ダクト２２と接続ダクト２３からなる管路における圧力干渉部として機能する。これより、各送風ダクト２１，２２内の圧力調整が可能となる。さらに、接続ダクト２３には、圧力調整部２４を設けてもよい。圧力調整部としては、手動にて開放可能なバルブ、送風ダクト２１，２２間の圧力差が所定以上となった場合に、開放する自動開閉バルブ、さらには、送風ダクト２１，２２間の圧力差が所定以上となった場合に、両者間を連通させる自動連通バルブなどが用いられる。
【手続補正１０】
【補正対象書類名】明細書
【補正対象項目名】００３４
【補正方法】変更
【補正の内容】
【００３４】
さらに、本発明の空調システムは、図５に示すような空調システム１ａのように、縦方向領域（縦方向通路）５３に誘引気流を送風する縦方向領域誘引気流形成部を備えていてもよい。縦方向領域誘引気流形成部は、第１の送風ダクト２１もしくは送風ダクト２２（この実施例では、送風ダクト２１）に設けられた冷風吐出部３と、冷風吐出部３の冷風吐出口付近に吸引口が位置するように配置され、冷風吐出部３より吐出する冷風を吸引し、縦方向領域を流れる縦方向領域方向誘引気流を形成させる誘引気流発生機４を備えている。冷風吐出部３および誘引気流発生機４としては、上述したものが好適に使用できる。なお、冷風吐出部３としては、吐出口位置調整機能３３を備えるものが好ましいが、備えないものであってもよい。また、縦方向領域誘引気流形成部は、誘引気流発生機４の誘引気流吐出口４１を上下方向および横方向に調整可能に保持する誘引気流発生機保持部６を備えていることが好ましい。具体的には、縦方向領域誘引気流形成部は、向かい合うフレーム４４間を連結するように設けられた架橋フレーム４９を備えている。そして、誘引気流発生機４が、図３に示し上述したものと同様に、架橋フレーム４９に横方向（水平方向）に調整可能（回動可能）に取り付けられている。なお、架橋フレーム４９内には、誘引気流発生機４に接続された電気ケーブル（図示せず）が収納されている。保持部６は、誘引気流発生機４を上下方向に調整可能（回動可能）に保持するコの字型の保持部材４３と締結部材４７を備えている。そして、保持部材４３の上部が、ボルト４５とナット４６によりフレーム４４に、横方向（言い換えれば、水平方向）に回動可能に保持されている。なお、ボルト４５の雄ねじを有するシャフト４５ａは、保持部材４３の内部において、ナット４６の雌ねじと螺合している。
【手続補正１１】
【補正対象書類名】明細書
【補正対象項目名】００３７
【補正方法】変更
【補正の内容】
【００３７】
そして、この実施例の空調システム１ｃでは、上記の斜め横方向領域（斜め横方向通路）の形態に対応している。具体的には、空調システム１ｃは、他方側壁部方向冷風送気部の冷風吐出部３の冷風吐出口３１が、送風ダクト２１に対して斜めかつ若干出入り口側を向くように調整されており、同様に、誘引気流発生機４の吸引口４２および吐出口４１もフレーム４４（送風ダクト２１）に対して斜めかつ若干出入り口側を向くように調整されている。また、一方側壁部方向冷風送気部の冷風吐出部３の冷風吐出口３１が、送風ダクト２２に対して斜めかつ若干奥側（出入り口側と反対側）を向くように調整されており、同様に、誘引気流発生機４の吸引口４２および吐出口４１もフレーム４４（送風ダクト２２）に対して斜めかつ奥側（出入り口側と反対側）を向くように調整されている。そして、この実施例の空調システム１ｃにおいても、一方側壁部方向冷風送気部の誘引気流発生機４の気流吐出口４１より吐出され、斜め横方向領域を流れる一方側壁部方向気流７２と、他方側壁部方向冷風送気部の誘引気流発生機４の気流吐出口４１より吐出され、斜め横方向領域を流れる他方側壁部方向気流７１とが、実質的に当接しないように各誘引気流発生機の気流吐出口の向きが調整されている。